【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
ビデオデータをコーディングする方法であって、
符号化されたビデオビットストリーム中の第１のシンタックス要素をコーディングすることと、ここにおいて、前記第１のシンタックス要素の第１の値は、複数の深度イントラ予測モードから深度ブロックのために選択された深度イントラ予測モードが、プレーナイントラ予測モード、ＤＣイントラ予測モード、または方向性イントラ予測モードのうちの１つであることを示し、前記第１のシンタックス要素の第２の値は、前記深度ブロックのために選択された前記深度イントラ予測モードが、複数の深度モデリングモードまたは領域境界チェーンコーディングモードのうちの１つであることを示し、
前記符号化されたビデオビットストリーム中の第２のシンタックス要素をコーディングすることと、ここにおいて、前記第２のシンタックス要素は、前記深度ブロックを再構築するために簡易深度コーディング（ＳＤＣ）モードを実行するかどうかを示し、前記ＳＤＣモードは、前記ビットストリームから少なくとも１つのＤＣ残差値を復号することを備え、前記ＤＣ残差値は、前記深度ブロックの複数のサンプルの残差値を表し、
前記第１のシンタックス要素および第２のシンタックス要素に従って前記深度ブロックをコーディングすることと、
を備える、方法。
【請求項２】
前記第１のシンタックス要素がｈｅｖｃ＿ｉｎｔｒａ＿ｆｌａｇシンタックス要素を備え、前記第２のシンタックス要素がｓｄｃ＿ｆｌａｇシンタックス要素を備える、請求項１に記載の方法。
【請求項３】
前記第１のシンタックス要素と第２のシンタックス要素とをコーディングすることが、コンテキスト適応型バイナリ算術コーディング（ＣＡＢＡＣ）プロセスに従って前記第１のシンタックス要素と第２のシンタックス要素とをコーディングすることを備える、請求項１に記載の方法。
【請求項４】
前記ＣＡＢＡＣプロセスに従って前記第１のシンタックス要素と第２のシンタックス要素のうちの少なくとも１つをコーディングするための初期確率状態を不等確率状態に設定することをさらに備える、請求項３に記載の方法。
【請求項５】
前記ＣＡＢＡＣプロセスに従って前記第１のシンタックス要素と第２のシンタックス要素のうちの少なくとも１つをコーディングするための前記初期確率状態を不等確率状態に設定することが、前記ＣＡＢＡＣプロセスに従って前記第１のシンタックス要素をコーディングするための前記初期確率状態を不等確率状態に設定することを備える、請求項４に記載の方法。
【請求項６】
前記深度ブロックを含むスライスのスライスタイプを決定することと、
前記スライスタイプに基づいて、複数の確率状態から前記ＣＡＢＡＣプロセスに従って前記第１のシンタックス要素と第２のシンタックス要素のうちの少なくとも１つをコーディングするための初期確率状態を選択することと、
をさらに備える、請求項３に記載の方法。
【請求項７】
前記深度ブロックの任意の隣接する深度ブロックのための前記シンタックス要素の値を参照することなく、前記ＣＡＢＡＣプロセスに従って前記深度ブロックのための前記第１のシンタックス要素と第２のシンタックス要素のうちの少なくとも１つをコーディングするための初期確率状態を設定することをさらに備える、請求項３に記載の方法。
【請求項８】
前記第１のシンタックス要素と第２のシンタックス要素とをコーディングすることが、前記第１のシンタックス要素と第２のシンタックス要素とを復号することを備え、前記第１のシンタックス要素および第２のシンタックス要素に従って前記深度ブロックをコーディングすることが、前記深度ブロックのために選択された前記深度イントラ予測モードと、前記ＳＤＣモードを実行するかどうかの前記指示とに従って、前記深度ブロックを再構築することを備える、請求項１に記載の方法。
【請求項９】
前記第１のシンタックス要素と第２のシンタックス要素とをコーディングすることが、前記第１のシンタックス要素と第２のシンタックス要素とを符号化することを備え、前記方法が、
前記複数の深度イントラ予測モードから、前記符号化されたビデオビットストリーム中の前記深度ブロックを符号化するために前記深度イントラ予測モードを選択することと、
前記符号化されたビデオビットストリーム中の前記深度ブロックを符号化するために前記ＳＤＣモードを実行するかどうか決定することと、
をさらに備え、
前記第１のシンタックス要素および第２のシンタックス要素に従って前記深度ブロックをコーディングすることが、前記選択された深度イントラ予測モードと前記ＳＤＣモードを実行するかどうかの前記決定とに従って、前記符号化されたビデオビットストリーム中の前記深度ブロックを符号化することを備える、請求項１に記載の方法。
【請求項１０】
ビデオコーダを備えるデバイスであって、前記ビデオコーダが、
前記ビデオデータを符号化する符号化されたビデオビットストリームを記憶するように構成されたメモリと、
前記符号化されたビデオビットストリームから第１のシンタックス要素をコーディングすることと、ここにおいて、前記第１のシンタックス要素の第１の値は、複数の深度イントラ予測モードから深度ブロックのために選択された深度イントラ予測モードが、プレーナイントラ予測モード、ＤＣイントラ予測モード、または方向性イントラ予測モードのうちの１つであることを示し、前記第１のシンタックス要素の第２の値は、前記深度ブロックのために選択された前記深度イントラ予測モードが、複数の深度モデリングモードまたは領域境界チェーンコーディングモードのうちの１つであることを示し、
前記符号化されたビデオビットストリームから第２のシンタックス要素をコーディングすることと、ここにおいて、前記第２のシンタックス要素は、前記深度ブロックを再構築するために簡易深度コーディング（ＳＤＣ）モードを実行するかどうかを示し、前記ＳＤＣモードは、前記ビットストリームから少なくとも１つのＤＣ残差値を復号することを備え、前記ＤＣ残差値は、前記深度ブロックの複数のサンプルの残差値を表し、
前記第１のシンタックス要素および第２のシンタックス要素に従って前記深度ブロックをコーディングすることと、
を行うように構成される１つまたは複数のプロセッサと、
を備える、デバイス。
【請求項１１】
ビデオデータを符号化する方法であって、
複数の深度イントラ予測モードから選択される深度イントラ予測モードに従って深度ブロックを符号化することと、ここにおいて、前記深度ブロックを符号化することは、前記深度イントラ予測モードのうちの前記示された１つに基づいて、前記深度ブロックのための少なくとも１つのＤＣ残差値を決定するために簡易深度コーディング（ＳＤＣ）モードを実行することを備え、前記ＤＣ残差値は、前記深度ブロックの複数のサンプルの残差値を表し、
前記決定されたＤＣ残差値を含むＤＣ残差値のある範囲内の候補ＤＣ残差値のセットを識別することと、
候補ＤＣ残差値の前記セットの各々にビュー合成最適化プロセスを適用することと、
前記ビュー合成最適化プロセスに基づいて、候補ＤＣ残差値の前記セットから１つのＤＣ残差値を選択することと、
符号化されたビデオビットストリームの中に前記選択されたＤＣ残差値を符号化することと、
を備える、方法。
【請求項１２】
候補ＤＣ残差値の前記セットの各々にビュー合成最適化プロセスを適用することが、前記ビュー合成最適化プロセスに従って候補ＤＣ残差値の前記セットの各々に関するコストを決定することを備え、前記ビュー合成最適化プロセスに基づいて候補ＤＣ残差値の前記セットから１つのＤＣ残差値を選択することが、候補ＤＣ残差値の前記セットから、最低のコストを有する前記１つのＤＣ残差値を選択することを備える、請求項１１に記載の方法。
【請求項１３】
前記決定されたＤＣ残差値を含むＤＣ残差値のある範囲内の候補ＤＣ残差値のセットを識別することが、前記決定されたＤＣ残差値よりも小さい第１のオフセット値である第１のＤＣ残差値から、前記決定されたＤＣ残差値よりも大きい第２のオフセット値である第２のＤＣ残差値までの、ＤＣ残差値の範囲内の候補ＤＣ残差値のセットを識別することを備える、請求項１１に記載の方法。
【請求項１４】
前記第１のオフセット値と第２のオフセット値が同じ値である、請求項１１に記載の方法。
【請求項１５】
前記第１のオフセット値と第２のオフセット値が２である、請求項１４に記載の方法。
【請求項１６】
前記決定されたＤＣ残差値よりも小さい第１のオフセット値である第１のＤＣ残差値から、前記決定されたＤＣ残差値よりも大きい第２のオフセット値である第２のＤＣ残差値までの、ＤＣ残差値の範囲内の候補ＤＣ残差値のセットを識別することが、［ＤＣＲｅｓｉ［ｉ］−Ｏｆｆｓｅｔ１，ＤＣＲｅｓｉ［ｉ］＋Ｏｆｆｓｅｔ２］によって定義される範囲内の候補ＤＣ残差値のセットを識別することを備え、
ＤＣＲｅｓｉ［ｉ］が前記決定されたＤＣ残差値を示し、
Ｏｆｆｓｅｔ１が前記第１のオフセット値であり、Ｏｆｆｓｅｔ２が前記第２のオフセット値であり、
Ｏｆｆｓｅｔ１とＯｆｆｓｅｔ２の各々が非負の整数値を備える、請求項１１に記載の方法。
【請求項１７】
ビデオエンコーダを備えるデバイスであって、前記ビデオエンコーダが、
前記ビデオデータを符号化する符号化されたビデオビットストリームを記憶するように構成されたメモリと、
複数の深度イントラ予測モードから選択される深度イントラ予測モードに従って深度ブロックを符号化することと、ここにおいて、前記深度ブロックを符号化することは、前記深度イントラ予測モードのうちの前記示された１つに基づいて、前記深度ブロックのための少なくとも１つのＤＣ残差値を決定するために簡易深度コーディング（ＳＤＣ）モードを実行することを備え、前記ＤＣ残差値は、前記深度ブロックの複数のサンプルの残差値を表し、
前記決定されたＤＣ残差値を含むＤＣ残差値のある範囲内の候補ＤＣ残差値のセットを識別することと、
候補ＤＣ残差値の前記セットの各々にビュー合成最適化プロセスを適用することと、
前記ビュー合成最適化プロセスに基づいて、候補ＤＣ残差値の前記セットから１つのＤＣ残差値を選択することと、
符号化されたビデオビットストリームの中に前記選択されたＤＣ残差値を符号化することと、
を行うように構成される１つまたは複数のプロセッサと、
を備える、デバイス。
【手続補正２】
【補正対象書類名】明細書
【補正対象項目名】０３３４
【補正方法】変更
【補正の内容】
【０３３４】
[0348]例８０．  ビデオエンコーダに、決定されたＤＣ残差値よりも小さい第１のオフセット値である第１のＤＣ残差値から、決定されたＤＣ残差値よりも大きい第２のオフセット値である第２のＤＣ残差値までの、ＤＣ残差値の範囲内の候補ＤＣ残差値のセットを識別させる命令が、ビデオエンコーダに、［ＤＣＲｅｓｉ［ｉ］−Ｏｆｆｓｅｔ１，ＤＣＲｅｓｉ［ｉ］＋Ｏｆｆｓｅｔ２］によって定義される範囲内の候補ＤＣ残差値のセットを識別させる命令を備え、ＤＣＲｅｓｉ［ｉ］が決定されたＤＣ残差値を示し、Ｏｆｆｓｅｔ１が第１のオフセット値であり、Ｏｆｆｓｅｔ２が第２のオフセット値であり、Ｏｆｆｓｅｔ１とＯｆｆｓｅｔ２の各々が非負の整数値を備える、例７７のコンピュータ可読記憶媒体。
以下に、本願出願の当初の特許請求の範囲に記載された発明を付記する。
［Ｃ１］
ビデオデータをコーディングする方法であって、
符号化されたビデオビットストリーム中の第１のシンタックス要素をコーディングすることと、ここにおいて、前記第１のシンタックス要素の第１の値は、複数の深度イントラ予測モードから深度ブロックのために選択された深度イントラ予測モードが、プレーナイントラ予測モード、ＤＣイントラ予測モード、または方向性イントラ予測モードのうちの１つであることを示し、前記第１のシンタックス要素の第２の値は、前記深度ブロックのために選択された前記深度イントラ予測モードが、複数の深度モデリングモードまたは領域境界チェーンコーディングモードのうちの１つであることを示し、
前記符号化されたビデオビットストリーム中の第２のシンタックス要素をコーディングすることと、ここにおいて、前記第２のシンタックス要素は、前記深度ブロックを再構築するために簡易深度コーディング（ＳＤＣ）モードを実行するかどうかを示し、前記ＳＤＣモードは、前記ビットストリームから少なくとも１つのＤＣ残差値を復号することを備え、前記ＤＣ残差値は、前記深度ブロックの複数のサンプルの残差値を表し、
前記第１のシンタックス要素および第２のシンタックス要素に従って前記深度ブロックをコーディングすることと、
を備える、方法。
［Ｃ２］
前記第１のシンタックス要素がｈｅｖｃ＿ｉｎｔｒａ＿ｆｌａｇシンタックス要素を備え、前記第２のシンタックス要素がｓｄｃ＿ｆｌａｇシンタックス要素を備える、Ｃ１に記載の方法。
［Ｃ３］
前記第１のシンタックス要素と第２のシンタックス要素とをコーディングすることが、コンテキスト適応型バイナリ算術コーディング（ＣＡＢＡＣ）プロセスに従って前記第１のシンタックス要素と第２のシンタックス要素とをコーディングすることを備える、Ｃ１に記載の方法。
［Ｃ４］
前記ＣＡＢＡＣプロセスに従って前記第１のシンタックス要素と第２のシンタックス要素のうちの少なくとも１つをコーディングするための初期確率状態を不等確率状態に設定することをさらに備える、Ｃ３に記載の方法。
［Ｃ５］
前記ＣＡＢＡＣプロセスに従って前記第１のシンタックス要素と第２のシンタックス要素のうちの少なくとも１つをコーディングするための前記初期確率状態を不等確率状態に設定することが、前記ＣＡＢＡＣプロセスに従って前記第１のシンタックス要素をコーディングするための前記初期確率状態を不等確率状態に設定することを備える、Ｃ４に記載の方法。
［Ｃ６］
前記深度ブロックを含むスライスのスライスタイプを決定することと、
前記スライスタイプに基づいて、複数の確率状態から前記ＣＡＢＡＣプロセスに従って前記第１のシンタックス要素と第２のシンタックス要素のうちの少なくとも１つをコーディングするための初期確率状態を選択することと、
をさらに備える、Ｃ３に記載の方法。
［Ｃ７］
前記深度ブロックの任意の隣接する深度ブロックのための前記シンタックス要素の値を参照することなく、前記ＣＡＢＡＣプロセスに従って前記深度ブロックのための前記第１のシンタックス要素と第２のシンタックス要素のうちの少なくとも１つをコーディングするための初期確率状態を設定することをさらに備える、Ｃ３に記載の方法。
［Ｃ８］
前記第１のシンタックス要素と第２のシンタックス要素とをコーディングすることが、前記第１のシンタックス要素と第２のシンタックス要素とを復号することを備え、前記第１のシンタックス要素および第２のシンタックス要素に従って前記深度ブロックをコーディングすることが、前記深度ブロックのために選択された前記深度イントラ予測モードと、前記ＳＤＣモードを実行するかどうかの前記指示とに従って、前記深度ブロックを再構築することを備える、Ｃ１に記載の方法。
［Ｃ９］
前記第１のシンタックス要素と第２のシンタックス要素とをコーディングすることが、前記第１のシンタックス要素と第２のシンタックス要素とを符号化することを備え、前記方法が、
前記複数の深度イントラ予測モードから、前記符号化されたビデオビットストリーム中の前記深度ブロックを符号化するために前記深度イントラ予測モードを選択することと、
前記符号化されたビデオビットストリーム中の前記深度ブロックを符号化するために前記ＳＤＣモードを実行するかどうか決定することと、
をさらに備え、
前記第１のシンタックス要素および第２のシンタックス要素に従って前記深度ブロックをコーディングすることが、前記選択された深度イントラ予測モードと前記ＳＤＣモードを実行するかどうかの前記決定とに従って、前記符号化されたビデオビットストリーム中の前記深度ブロックを符号化することを備える、Ｃ１に記載の方法。
［Ｃ１０］
ビデオコーダを備えるデバイスであって、前記ビデオコーダが、
前記ビデオデータを符号化する符号化されたビデオビットストリームを記憶するように構成されたメモリと、
前記符号化されたビデオビットストリームから第１のシンタックス要素をコーディングすることと、ここにおいて、前記第１のシンタックス要素の第１の値は、複数の深度イントラ予測モードから深度ブロックのために選択された深度イントラ予測モードが、プレーナイントラ予測モード、ＤＣイントラ予測モード、または方向性イントラ予測モードのうちの１つであることを示し、前記第１のシンタックス要素の第２の値は、前記深度ブロックのために選択された前記深度イントラ予測モードが、複数の深度モデリングモードまたは領域境界チェーンコーディングモードのうちの１つであることを示し、
前記符号化されたビデオビットストリームから第２のシンタックス要素をコーディングすることと、ここにおいて、前記第２のシンタックス要素は、前記深度ブロックを再構築するために簡易深度コーディング（ＳＤＣ）モードを実行するかどうかを示し、前記ＳＤＣモードは、前記ビットストリームから少なくとも１つのＤＣ残差値を復号することを備え、前記ＤＣ残差値は、前記深度ブロックの複数のサンプルの残差値を表し、
前記第１のシンタックス要素および第２のシンタックス要素に従って前記深度ブロックをコーディングすることと、
を行うように構成される１つまたは複数のプロセッサと、
を備える、デバイス。
［Ｃ１１］
前記第１のシンタックス要素がｈｅｖｃ＿ｉｎｔｒａ＿ｆｌａｇシンタックス要素を備え、前記第２のシンタックス要素がｓｄｃ＿ｆｌａｇシンタックス要素を備える、Ｃ１０に記載のデバイス。
［Ｃ１２］
前記１つまたは複数のプロセッサが、コンテキスト適応型バイナリ算術コーディング（ＣＡＢＡＣ）プロセスに従って前記第１のシンタックス要素と第２のシンタックス要素とをコーディングするように構成される、Ｃ１０に記載のデバイス。
［Ｃ１３］
前記１つまたは複数のプロセッサがさらに、前記ＣＡＢＡＣプロセスに従って前記第１のシンタックス要素と第２のシンタックス要素のうちの少なくとも１つをコーディングするための初期確率状態を不等確率状態に設定するように構成される、Ｃ１２に記載のデバイス。
［Ｃ１４］
前記１つまたは複数のプロセッサが、前記ＣＡＢＡＣプロセスに従って前記第１のシンタックス要素をコーディングするための前記初期確率状態を不等確率状態に設定するように構成される、Ｃ１３に記載のデバイス。
［Ｃ１５］
前記１つまたは複数のプロセッサがさらに、
前記深度ブロックを含むスライスのスライスタイプを決定することと、
前記スライスタイプに基づいて、複数の確率状態から前記ＣＡＢＡＣプロセスに従って前記第１のシンタックス要素と第２のシンタックス要素のうちの少なくとも１つをコーディングするための初期確率状態を選択することと、
を行うように構成される、Ｃ１２に記載のデバイス。
［Ｃ１６］
前記１つまたは複数のプロセッサが、前記深度ブロックの任意の隣接する深度ブロックのための前記シンタックス要素の値を参照することなく、前記ＣＡＢＡＣプロセスに従って前記深度ブロックのための前記第１のシンタックス要素と第２のシンタックス要素のうちの少なくとも１つをコーディングするための初期確率状態を設定するように構成される、Ｃ１２に記載のデバイス。
［Ｃ１７］
前記ビデオコーダがビデオデコーダを備え、前記１つまたは複数のプロセッサが、前記第１のシンタックス要素と第２のシンタックス要素とを復号することと、前記深度ブロックのために選択された前記深度イントラ予測モードと、前記ＳＤＣモードを実行するかどうかの前記指示とに従って、前記深度ブロックを再構築することと、を行うように構成される、Ｃ１０に記載のデバイス。
［Ｃ１８］
前記ビデオコーダがビデオエンコーダを備え、前記１つまたは複数のプロセッサが、
前記複数の深度イントラ予測モードから、前記符号化されたビデオビットストリーム中の前記深度ブロックを符号化するために前記深度イントラ予測モードを選択することと、
前記符号化されたビデオビットストリーム中の前記深度ブロックを符号化するために前記ＳＤＣモードを実行するかどうか決定することと、
前記選択された深度イントラ予測モードと前記ＳＤＣモードを実行するかどうかの前記決定とに従って、前記符号化されたビデオビットストリーム中の前記深度ブロックを符号化することと、
前記符号化されたビデオビットストリーム中の前記第１のシンタックス要素と第２のシンタックス要素とを符号化することと、
を行うように構成される、Ｃ１０に記載のデバイス。
［Ｃ１９］
ビデオデータを符号化する方法であって、
複数の深度イントラ予測モードから選択される深度イントラ予測モードに従って深度ブロックを符号化することと、ここにおいて、前記深度ブロックを符号化することは、前記深度イントラ予測モードのうちの前記示された１つに基づいて、前記深度ブロックのための少なくとも１つのＤＣ残差値を決定するために簡易深度コーディング（ＳＤＣ）モードを実行することを備え、前記ＤＣ残差値は、前記深度ブロックの複数のサンプルの残差値を表し、
前記決定されたＤＣ残差値を含むＤＣ残差値のある範囲内の候補ＤＣ残差値のセットを識別することと、
候補ＤＣ残差値の前記セットの各々にビュー合成最適化プロセスを適用することと、
前記ビュー合成最適化プロセスに基づいて、候補ＤＣ残差値の前記セットから１つのＤＣ残差値を選択することと、
符号化されたビデオビットストリームの中に前記選択されたＤＣ残差値を符号化することと、
を備える、方法。
［Ｃ２０］
候補ＤＣ残差値の前記セットの各々にビュー合成最適化プロセスを適用することが、前記ビュー合成最適化プロセスに従って候補ＤＣ残差値の前記セットの各々に関するコストを決定することを備え、前記ビュー合成最適化プロセスに基づいて候補ＤＣ残差値の前記セットから１つのＤＣ残差値を選択することが、候補ＤＣ残差値の前記セットから、最低のコストを有する前記１つのＤＣ残差値を選択することを備える、Ｃ１９に記載の方法。
［Ｃ２１］
前記決定されたＤＣ残差値を含むＤＣ残差値のある範囲内の候補ＤＣ残差値のセットを識別することが、前記決定されたＤＣ残差値よりも小さい第１のオフセット値である第１のＤＣ残差値から、前記決定されたＤＣ残差値よりも大きい第２のオフセット値である第２のＤＣ残差値までの、ＤＣ残差値の範囲内の候補ＤＣ残差値のセットを識別することを備える、Ｃ１９に記載の方法。
［Ｃ２２］
前記第１のオフセット値と第２のオフセット値が同じ値である、Ｃ２１に記載の方法。
［Ｃ２３］
前記第１のオフセット値と第２のオフセット値が２である、Ｃ２２に記載の方法。
［Ｃ２４］
前記決定されたＤＣ残差値よりも小さい第１のオフセット値である第１のＤＣ残差値から、前記決定されたＤＣ残差値よりも大きい第２のオフセット値である第２のＤＣ残差値までの、ＤＣ残差値の範囲内の候補ＤＣ残差値のセットを識別することが、［ＤＣＲｅｓｉ［ｉ］−Ｏｆｆｓｅｔ１，ＤＣＲｅｓｉ［ｉ］＋Ｏｆｆｓｅｔ２］によって定義される範囲内の候補ＤＣ残差値のセットを識別することを備え、
ＤＣＲｅｓｉ［ｉ］が前記決定されたＤＣ残差値を示し、
Ｏｆｆｓｅｔ１が前記第１のオフセット値であり、Ｏｆｆｓｅｔ２が前記第２のオフセット値であり、
Ｏｆｆｓｅｔ１とＯｆｆｓｅｔ２の各々が非負の整数値を備える、Ｃ２１に記載の方法。
［Ｃ２５］
ビデオエンコーダを備えるデバイスであって、前記ビデオエンコーダが、
前記ビデオデータを符号化する符号化されたビデオビットストリームを記憶するように構成されたメモリと、
複数の深度イントラ予測モードから選択される深度イントラ予測モードに従って深度ブロックを符号化することと、ここにおいて、前記深度ブロックを符号化することは、前記深度イントラ予測モードのうちの前記示された１つに基づいて、前記深度ブロックのための少なくとも１つのＤＣ残差値を決定するために簡易深度コーディング（ＳＤＣ）モードを実行することを備え、前記ＤＣ残差値は、前記深度ブロックの複数のサンプルの残差値を表し、
前記決定されたＤＣ残差値を含むＤＣ残差値のある範囲内の候補ＤＣ残差値のセットを識別することと、
候補ＤＣ残差値の前記セットの各々にビュー合成最適化プロセスを適用することと、
前記ビュー合成最適化プロセスに基づいて、候補ＤＣ残差値の前記セットから１つのＤＣ残差値を選択することと、
符号化されたビデオビットストリームの中に前記選択されたＤＣ残差値を符号化することと、
を行うように構成される１つまたは複数のプロセッサと、
を備える、デバイス。
［Ｃ２６］
前記１つまたは複数のプロセッサが、前記ビュー合成最適化プロセスに従って候補ＤＣ残差値の前記セットの各々に関するコストを決定することと、候補ＤＣ残差値の前記セットから、最低のコストを有する前記１つのＤＣ残差値を選択することと、を行うように構成される、Ｃ２５に記載のデバイス。
［Ｃ２７］
前記１つまたは複数のプロセッサが、前記決定されたＤＣ残差値よりも小さい第１のオフセット値である第１のＤＣ残差値から、前記決定されたＤＣ残差値よりも大きい第２のオフセット値である第２のＤＣ残差値までの、ＤＣ残差値の範囲内の候補ＤＣ残差値のセットを識別するように構成される、Ｃ２５に記載のデバイス。
［Ｃ２８］
前記第１のオフセット値と第２のオフセット値が同じ値である、Ｃ２７に記載のデバイス。
［Ｃ２９］
前記第１のオフセット値と第２のオフセット値が２である、Ｃ２８に記載のデバイス。
［Ｃ３０］
前記１つまたは複数のプロセッサが、［ＤＣＲｅｓｉ［ｉ］−Ｏｆｆｓｅｔ１，ＤＣＲｅｓｉ［ｉ］＋Ｏｆｆｓｅｔ２］によって定義される範囲内の候補ＤＣ残差値のセットを識別するように構成され、
ＤＣＲｅｓｉ［ｉ］が前記決定されたＤＣ残差値を示し、
Ｏｆｆｓｅｔ１が前記第１のオフセット値であり、Ｏｆｆｓｅｔ２が前記第２のオフセット値であり、
Ｏｆｆｓｅｔ１とＯｆｆｓｅｔ２の各々が非負の整数値を備える、Ｃ２７に記載のデバイス。